Podtech/llm-jp-corpus-v4-ja_patent huggingface dataset:
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
ユーザー接触表面と、
該ユーザー接触表面に結合された出力部材を備えている電気活性ポリマートランスデューサーと、
該ユーザー接触表面上の機械力を感知し、該トランスデューサーへの作動信号を提供するセンサーであって、該トランスデューサーの作動は、少なくとも該ユーザー接触表面の一部分を動かす、センサーと、
該トランスデューサーを実質的にハーメチックシールをするように構成されているシーリング材料と
を備えている、感覚性フィードバックを有するユーザーインターフェースデバイス。
【請求項２】
前記ユーザー接触表面の前記動きは、横方向に存在する、請求項１に記載のユーザーインターフェースデバイス。
【請求項３】
前記ユーザー接触表面は、キーパッドを備えている、請求項１に記載のユーザーインターフェースデバイス。
【請求項４】
前記出力部材は、前記ユーザー接触表面に機械的に結合されている、請求項１に記載のユーザーインターフェースデバイス。
【請求項５】
前記出力部材と前記ユーザー接触表面との間に延びている少なくとも一つのピンをさらに備えている、請求項４に記載のユーザーインターフェースデバイス。
【請求項６】
前記少なくとも一つのピンは、前記シーリング材料を通って延びる、請求項５に記載のユーザーインターフェースデバイス。
【請求項７】
前記ピンと前記シーリング材料との間に適合性材料をさらに備えている、請求項６に記載のユーザーインターフェースデバイス。
【請求項８】
前記シーリング材料は、ピンを受け入れる皿穴を備えている、請求項６に記載のユーザーインターフェースデバイス。
【請求項９】
前記少なくとも一つのピンは、旋回可能なレバーから延びる、請求項８に記載のユーザーインターフェースデバイス。
【請求項１０】
前記出力部材は、前記ユーザー接触表面と磁気的に結合されている、請求項１に記載のユーザーインターフェースデバイス。
【請求項１１】
前記トランスデューサーは、前記出力部材と開放フレームとの間に延びている電気活性ポリマーフィルムを備えている、請求項１に記載のユーザーインターフェースデバイス。
【請求項１２】
前記トランスデューサーは、前記出力部材と関係づけられた負のばね定数バイアス機構をさらに備えている、請求項１に記載のユーザーインターフェースデバイス。
【請求項１３】
前記シーリング材料は、前記ユーザー接触表面と前記トランスデューサーとの間にガスケットを形成する、請求項１に記載のユーザーインターフェースデバイス。
【請求項１４】
前記シーリング材料は、前記トランスデューサーを収容する、請求項１に記載のユーザーインターフェースデバイス。
【請求項１５】
前記トランスデューサーは、二つの相で作動可能な、請求項１に記載のユーザーインターフェースデバイス。
【請求項１６】
前記トランスデューサーは、少なくとも部分的にウェブベースの製作技術によって形成される、請求項１に記載のユーザーインターフェースデバイス。
【請求項１７】
電気活性ポリマートランスデューサーを製造する方法であって、該方法は、
電気活性ポリマーフィルムを提供することと、
該フィルム上に電極のアレイを形成することと、
フレーム構成要素の上のアレイと下のアレイとの間に該電極アレイをはさんで、電気活性ポリマートランスデューサーのアレイを形成することと
を包含する、方法。
【請求項１８】
電気活性ポリマートランスデューサーの前記アレイを個別化することをさらに包含する、請求項１７に記載の方法。
【請求項１９】
電気活性ポリマートランスデューサーの前記アレイに負のばね定数のバイアス機構のアレイを適用することをさらに包含する、請求項１７に記載の方法。
【請求項２０】
ユーザーインターフェースデバイスのアレイに前記トランスデューサーのアレイを組み込むことをさらに包含する、請求項１７に記載の方法。
【請求項２１】
前記方法のステップの各々は、ウェブベースの製作技術によって実行される、請求項１７に記載の方法。
【請求項２２】
ユーザー接触表面と、
該接触表面に結合された出力部材を備えている電気活性ポリマートランスデューサーと、
該ユーザー接触表面と該トランスデューサーとの間に延びている動作結合機構であって、該トランスデューサーの作動は、少なくとも該ユーザー接触表面の一部分を動かす、動作結合機構と
を備えている、感覚性フィードバックを有するユーザーインターフェースデバイス。
【請求項２３】
前記動作結合機構は、機械的である、請求項２２に記載のユーザーインターフェースデバイス。
【請求項２４】
前記動作結合機構は、少なくとも一つのピンを備えている、請求項２２に記載のユーザーインターフェースデバイス。
【請求項２５】
前記動作結合機構は、レバーアームを備えている、請求項２３に記載のユーザーインターフェースデバイス。
【請求項２６】
前記動作結合機構は、磁気的である、請求項２２に記載のユーザーインターフェースデバイス。
【請求項２７】
前記トランスデューサーと前記ユーザー接触表面との間にシーリング材料をさらに備えている、請求項２２に記載のユーザーインターフェースデバイス。
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
LVL068（配列番号８１）；LVL155（配列番号９３）；LVL078（配列番号８５）；およびLVL157（配列番号９７）からなる群から選択される構築物を含む融合タンパク質。
【請求項２】
請求項１に記載の融合タンパク質をコードする核酸分子。
【請求項３】
請求項２に記載の核酸分子を含むベクター。
【請求項４】
請求項３に記載のベクターで形質転換された宿主細胞。
【請求項５】
請求項１に記載の融合タンパク質を含み、アジュバント、および/または免疫賦活性サイトカインまたはケモカインをさらに含む、免疫原性組成物またはワクチン。
【請求項６】
医療において使用するための、請求項５に記載の免疫原性組成物またはワクチン。
【手続補正書】
【提出日】平成23年5月30日(2011.5.30)
【手続補正１】
【補正対象書類名】特許請求の範囲
【補正対象項目名】請求項１
【補正方法】変更
【補正の内容】
【請求項１】
回生能力を備えた電力供給装置に対する入力電圧を制限するためのシステムであって、
複数の入力変数と少なくとも１つの出力変数を有する調整器と、
前記調整器と通じていて、前記複数の入力変数に関連した値を累算して、前記調整器による前記累算値に基づく前記少なくとも１つの変数に対する変更を容易にするように構成されている累算器と、
前記調整器と通じていて、前記調整器から前記出力変数を受信し、前記出力変数に応答して特定機能を実施する駆動装置コントローラが含まれており、
前記累算器が、更に、前記電力供給装置が回生しているとき、前記複数の入力変数の１つが所定の値を超えるとき、及び前記調整器の前記少なくとも１つの出力変数がトルク電流基準値を抑制していないときに、当該調整器のプリセットされた出力変数を出力して、当該調整器における出力を、より迅速なものに促進するように設定されている
ことを特徴とする、回生能力を備えた電力供給装置に対する入力電圧を制限するためのシステム。
【手続補正２】
【補正対象書類名】特許請求の範囲
【補正対象項目名】請求項４
【補正方法】変更
【補正の内容】
【請求項４】
前記複数の入力値に、入力電力基準値、駆動装置入力電力フィードバック及び前記トルク電流基準値の少なくとも１つが含まれることを特徴とする請求項１記載のシステム。
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
動く対象の機能特性を決定するシステムにおいて、
前記対象の動きに追随するように前記対象に接触可能なタグと、
前記タグの動きを決定する動き決定装置と、
前記タグの前記決定された動きから前記対象の機能特性を決定する機能特性決定装置と、
を有するシステム。
【請求項２】
前記動き決定装置が、前記タグの時間的画像を決定し、前記時間的画像から前記タグの動きを決定する、請求項１に記載のシステム。
【請求項３】
前記機能特性決定装置が、前記タグの前記決定された動きから前記対象の動きを決定し、前記対象の前記決定された動きから前記対象の前記機能特性を決定する、請求項１に記載のシステム。
【請求項４】
前記動く対象が、第２の対象内の第１の対象であり、前記タグが、前記第１の対象の動きに追随するように前記タグを前記第１の対象に接触させるように前記第２の対象に挿入可能である、請求項１に記載のシステム。
【請求項５】
前記動く対象が、動いている心臓であり、少なくとも１つの第１のタグが、前記心臓の右心室に接触可能であり、少なくとも１つの第２のタグが、前記心臓の左心室に接触可能であり、前記動き決定装置が、前記少なくとも１つの第１のタグ及び前記少なくとも１つの第２のタグの動きを決定する、請求項４に記載のシステム。
【請求項６】
前記機能特性決定装置が、前記少なくとも１つの第１のタグ及び前記少なくとも１つの第２のタグの前記決定された動きから前記心臓の前記右心室の動きと前記左心室の動きとの間の同期の度合を決定する、請求項５に記載のシステム。
【請求項７】
前記機能特性決定装置が、前記少なくとも１つの第１のタグ及び前記少なくとも１つの第２のタグの前記決定された動きから心拍出量を決定する、請求項５に記載のシステム。
【請求項８】
前記システムが、前記対象の動きに作用する動き作用素子を有する、請求項１に記載のシステム。
【請求項９】
前記システムが、前記対象の前記決定された機能特性が最大化されるように前記動き作用素子を適合する適合装置を有する、請求項８に記載のシステム。
【請求項１０】
前記システムが、前記対象の前記決定された機能特性が最大化されるように前記動き作用素子を位置調整する位置調整装置を有する、請求項８に記載のシステム。
【請求項１１】
前記動き作用素子が、少なくとも第１の作用状態と第２の作用状態との間で変化可能であり、前記動き決定装置及び前記動き作用素子は、前記動き作用素子が前記第１の作用状態にある場合に前記タグの第１の動きが決定され、前記動き作用素子が前記第２の作用状態にある場合に前記タグの第２の動きが決定されるように制御可能であり、前記機能特性決定装置は、前記対象の前記機能特性に対する前記動き作用素子の作用を決定するために、前記機能特性が、少なくとも２回、すなわち前記タグの前記第１の動きから１回及び前記タグの前記第２の動きから１回決定されるように制御可能である、請求項８に記載のシステム。
【請求項１２】
前記システムが、前記タグの視覚化と同時に前記対象の前記決定された機能特性を視覚化する視覚化ユニットを有する、請求項１に記載のシステム。
【請求項１３】
動く対象の機能特性を決定する方法において、
前記対象の動きに追随するように前記対象に接触可能なタグを提供するステップと、
前記タグの動きを決定するステップと、
前記タグの前記決定された動きから機能特性を決定するステップと、
を有する方法。
【請求項１４】
動く対象の機能特性を決定するコンピュータプログラムにおいて、前記コンピュータプログラムが請求項１に記載のシステムを制御するコンピュータ上で実行される場合に、前記システムに請求項１３に記載の方法のステップを実行させるプログラムコード手段を有するコンピュータプログラム。
【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
生物学的試料中のMIPOL1-ETV1遺伝子再編成の存在を検出する段階を含む前立腺癌を検出するための方法であって、試料中の該遺伝子再編成の存在が、該試料が由来する個人における前立腺癌を示す、方法。
【請求項２】
MIPOL1-ETV1の遺伝子再編成を検出する段階が、同じゲノム領域にMIPOL1遺伝物質およびETV1遺伝物質を含むゲノムDNAの染色体再編成を検出する段階を含む、請求項1記載の方法。
【請求項３】
ゲノムDNAの染色体再編成を検出する段階が、核酸配列決定技術を使用する、請求項2記載の方法。
【請求項４】
ゲノムDNAの染色体再編成を検出する段階が、核酸ハイブリダイゼーション技術を使用する、請求項2記載の方法。
【請求項５】
ゲノムDNAの染色体再編成を検出する段階が、インサイツハイブリダイゼーション（ISH）、プローブのマイクロアレイへのハイブリダイゼーションの分析、およびサザンブロット分析からなる群から選択される核酸ハイブリダイゼーション技術を使用する、請求項4記載の方法。
【請求項６】
ゲノムDNAの染色体再編成を検出する段階が、核酸増幅法を使用する、請求項2記載の方法。
【請求項７】
使用される核酸増幅法が、ポリメラーゼ連鎖反応（PCR）、逆転写ポリメラーゼ連鎖反応（RT-PCR）、転写媒介増幅（TMA）、リガーゼ連鎖反応（LCR）、鎖置換増幅（SDA）、および核酸配列ベース増幅（NASBA）からなる群から選択される、請求項6記載の方法。
【請求項８】
前記試料が、組織、血液、血漿、血清、尿、尿上清、尿中の細胞ペレット、精液、前立腺分泌物および前立腺細胞からなる群から選択される、請求項1記載の方法。
【請求項９】
前立腺癌に関連するMIPOL1-ETV1遺伝子再編成を検出するための組成物であって、
（a）ETV1遺伝子がMIPOL1遺伝子内に挿入される連結部と特異的にハイブリダイズする配列を含むプローブ、または、
（b）MIPOL1遺伝子と特異的にハイブリダイズする配列を含む第一の増幅オリゴヌクレオチド、およびETV1遺伝子と特異的にハイブリダイズする配列を含む第二の増幅オリゴヌクレオチド、および増幅産物を検出するための手段、
のうちの少なくとも一つを含み、該複数のオリゴヌクレオチドがMIPOL1-ETV1遺伝子再編成を増幅する、組成物。
【請求項１０】
（c）における増幅産物を検出するための手段が、プローブ、インターカレート色素、および標識された増幅オリゴヌクレオチドからなる群から選択される、請求項10記載の組成物。
【請求項１１】
前立腺癌に関連するMIPOL1-ETV1遺伝子再編成を検出するための、ETV1遺伝子がMIPOL1遺伝子内に挿入される連結部と特異的にハイブリダイズする配列を含むプローブを含む組成物の使用。
【請求項１２】
前立腺癌に関連するMIPOL1-ETV1遺伝子再編成を検出するための、
（a）MIPOL1遺伝子と特異的にハイブリダイズする配列を含む第一のプローブ；および
（b）ETV1遺伝子と特異的にハイブリダイズする配列を含む第二のプローブ
を含む組成物の使用。
【請求項１３】
前立腺癌に関連するMIPOL1-ETV1遺伝子再編成を検出するための、
（a）MIPOL1遺伝子と特異的にハイブリダイズする配列を含む第一の増幅オリゴヌクレオチド；
（b）ETV1遺伝子と特異的にハイブリダイズする配列を含む第二の増幅オリゴヌクレオチド；および
（c）増幅産物を検出するための手段
を含む組成物の使用であって、該複数のオリゴヌクレオチドがMIPOL1-ETV1遺伝子再編成を増幅する、使用。
【手続補正２】
【補正対象書類名】明細書
【補正対象項目名】００１０
【補正方法】変更
【補正の内容】
【００１０】
幾つかの実施形態においては、増幅オリゴヌクレオチド組成物はまた、第一の増幅オリゴヌクレオチドによってハイブリダイズされる配列と第二の増幅オリゴヌクレオチドによってハイブリダイズされる配列との間に位置する配列と特異的にハイブリダイズするプローブを含むこともでき、該プローブはETV1遺伝子内の配列あるいはMIPOL1遺伝子内の配列と特異的にハイブリダイズできる。全てのプローブは、直接的にあるいは間接的に、検出可能なシグナルを提供する標識物質に結合されることができる。
[請求項1001]
生物学的試料中のMIPOL1-ETV1遺伝子再編成の存在を検出する段階を含む前立腺癌を検出するための方法であって、試料中の該遺伝子再編成の存在が、該試料が由来する個人における前立腺癌を示す、方法。
[請求項1002]
MIPOL1-ETV1の遺伝子再編成を検出する段階が、同じゲノム領域にMIPOL1遺伝物質およびETV1遺伝物質を含むゲノムDNAの染色体再編成を検出する段階を含む、請求項1001記載の方法。
[請求項1003]
ゲノムDNAの染色体再編成を検出する段階が、核酸配列決定技術を使用する、請求項1002記載の方法。
[請求項1004]
ゲノムDNAの染色体再編成を検出する段階が、核酸ハイブリダイゼーション技術を使用する、請求項1002記載の方法。
[請求項1005]
ゲノムDNAの染色体再編成を検出する段階が、インサイツハイブリダイゼーション（ISH）、プローブのマイクロアレイへのハイブリダイゼーションの分析、およびサザンブロット分析からなる群から選択される核酸ハイブリダイゼーション技術を使用する、請求項1004記載の方法。
[請求項1006]
ゲノムDNAの染色体再編成を検出する段階が、核酸増幅法を使用する、請求項1002記載の方法。
[請求項1007]
使用される核酸増幅法が、ポリメラーゼ連鎖反応（PCR）、逆転写ポリメラーゼ連鎖反応（RT-PCR）、転写媒介増幅（TMA）、リガーゼ連鎖反応（LCR）、鎖置換増幅（SDA）、および核酸配列ベース増幅（NASBA）からなる群から選択される、請求項1006記載の方法。
[請求項1008]
前記試料が、組織、血液、血漿、血清、尿、尿上清、尿中の細胞ペレット、精液、前立腺分泌物および前立腺細胞からなる群から選択される、請求項1001記載の方法。
[請求項1009]
前立腺癌に関連するMIPOL1-ETV1遺伝子再編成を検出するための組成物であって、
（a）ETV1遺伝子がMIPOL1遺伝子内に挿入される連結部と特異的にハイブリダイズする配列を含むプローブ、
（b）MIPOL1遺伝子と特異的にハイブリダイズする配列を含む第一のプローブ、およびETV1遺伝子と特異的にハイブリダイズする配列を含む第二のプローブ、または、
（c）MIPOL1遺伝子と特異的にハイブリダイズする配列を含む第一の増幅オリゴヌクレオチド、およびETV1遺伝子と特異的にハイブリダイズする配列を含む第二の増幅オリゴヌクレオチド、および増幅産物を検出するための手段、
のうちの少なくとも一つを含む、組成物。
[請求項1010]
（c）における増幅産物を検出するための手段が、プローブ、インターカレート色素、および標識された増幅オリゴヌクレオチドからなる群から選択される、請求項1010記載の組成物。
【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
薬物を保管及びデリバリーする装置であって、
流体流路と、
薬物を保管及びデリバリーするように構成されたチャンバと、を備え、前記チャンバは、実質的に湾曲した内部表面と、前記流体流路との流体連通をもたらす開口と、を有し、前記湾曲した内部表面の第１のセクションは、前記開口を通される流体の流れを受け取るように構成され、前記湾曲した内部表面の第２のセクションは、前記流体の流れを受け取り、前記流体の流れの少なくとも一部分を、前記湾曲した内部表面の前記第１のセクションに向けて、前記開口を通される前記流体の流れを通過するように方向転換させるように構成され、前記方向転換された流体の流れの第１の部分は、前記チャンバから退出して前記流体流路に流れ、前記方向転換された流体の流れの第２の部分は、前記チャンバ内に残る、
装置。
【請求項２】
前記湾曲した内部表面は、円筒形状の一部分を備える、請求項１に記載の装置。
【請求項３】
前記チャンバは、前記湾曲した内部表面を画定する略円環形状を備える、請求項２に記載の装置。
【請求項４】
前記流体流路と前記チャンバとの間の流体連通が選択的に開放可能及び閉鎖可能となるように構成された、請求項１に記載の装置。
【請求項５】
前記チャンバは、前記流体流路に対して摺動して前記流体流路と前記チャンバとの間の流体連通を選択的に開放又は閉鎖する、請求項４に記載の装置。
【請求項６】
前記チャンバは、前記流体流路に対して回転して前記流体流路と前記チャンバとの間の流体連通を選択的に開放又は閉鎖する、請求項４に記載の装置。
【請求項７】
前記湾曲した内部表面の前記第１のセクションに向けて方向転換される前記流体の流れは、前記湾曲した内部表面の前記第１のセクションに向けて、前記湾曲した内部表面の前記第１のセクションと略直交する方向に方向転換される、請求項１に記載の装置。
【請求項８】
前記流体流路は、下流部分と、上流部分と、を含み、前記下流部分は、前記チャンバから流体を受け取るように構成される、請求項１に記載の装置。
【請求項９】
前記チャンバは、前記流体流路の前記上流部分から流体を受け取る、請求項８に記載の装置。
【請求項１０】
前記流体流路は、前記流体流路から前記チャンバに流体を誘導するために前記下流部分の上流に配置された絞りを含む、請求項９に記載の装置。
【請求項１１】
前記流体流路の前記下流部分に配置された渦流チャンバ
を更に備える、請求項８に記載の装置。
【請求項１２】
前記流体流路から対象にデリバリーされる空気を受け取るように構成されたアクセス装置
を更に備える、請求項１４に記載の装置。
【請求項１３】
薬物を保管及びデリバリーする装置であって、
薬物を保管及びデリバリーするように構成されたチャンバであって、流体インレットと、流体アウトレットと、湾曲セクション、インレット・セクション、及びアウトレット・セクションを含む内部表面と、を有し、前記インレット・セクションは、前記空気インレット内で受け取られる流体の流れの方向に対して平行に置かれるように構成されるとともに、前記チャンバの周りに循環させて前記チャンバから前記アウトレット・セクションに沿ってデリバリーするための空気を前記湾曲セクションに供給するように構成される、チャンバと、
前記流体インレット及び前記流体アウトレットを通じて前記チャンバと流体連通する流体通路であって、前記流体連通は、前記流体通路と前記流体インレット及び前記流体アウトレットとの間で選択的に開放可能及び閉鎖可能である、流体通路と、
前記流体通路内の前記流体インレットと前記流体アウトレットとの間に配置された絞りと、
を備える装置。
【請求項１４】
前記湾曲セクションは、円筒形状の一部分を備える、請求項１３に記載の装置。
【請求項１５】
前記チャンバは、前記湾曲セクションを画定する略円環形状を備える、請求項１４に記載の装置。
【請求項１６】
前記湾曲セクションは、前記インレット・セクションと、前記アウトレット・セクションと、を含む、請求項１３に記載の装置。
【請求項１７】
前記チャンバは、前記流体通路に対して摺動して前記流体通路と前記流体インレット及び前記流体アウトレットとの間の流体連通を選択的に開放又は閉鎖する、請求項１３に記載の装置。
【請求項１８】
前記チャンバは、前記流体通路に対して回転して前記流体通路と前記流体インレット及び前記流体アウトレットとの間の流体連通を選択的に開放又は閉鎖する、請求項１３に記載の装置。
【請求項１９】
前記流体通路内の前記流体アウトレットの下流に配置された渦流チャンバ
を更に備える、請求項１３に記載の装置。
【請求項２０】
前記流体流路から対象にデリバリーされる流体を受け取るように構成されたアクセス装置
を更に備える、請求項１３に記載の装置。
【手続補正書】
【提出日】平成23年3月17日(2011.3.17)
【手続補正１】
【補正対象書類名】特許請求の範囲
【補正対象項目名】請求項５３
【補正方法】変更
【補正の内容】
【請求項５３】
上記薬剤が、窒素原子がヘテロ環または非環状鎖に存在している脂肪族または芳香族の飽和型または非飽和型の窒素含有塩基である、請求項５０から５２のいずれかに記載の薬剤。
【手続補正２】
【補正対象書類名】特許請求の範囲
【補正対象項目名】請求項５５
【補正方法】変更
【補正の内容】
【請求項５５】
上記薬剤がタバコの煙の構成成分である、請求項５０から５４のいずれかに記載の薬剤。
【手続補正３】
【補正対象書類名】特許請求の範囲
【補正対象項目名】請求項５６
【補正方法】変更
【補正の内容】
【請求項５６】
上記薬剤がニコチン性受容体物質である、請求項５０から５４のいずれかに記載の薬剤。
【手続補正４】
【補正対象書類名】特許請求の範囲
【補正対象項目名】請求項５７
【補正方法】変更
【補正の内容】
【請求項５７】
上記ニコチン性受容体物質がニコチン作動薬である、請求項５６記載の薬剤。
【手続補正５】
【補正対象書類名】特許請求の範囲
【補正対象項目名】請求項５８
【補正方法】変更
【補正の内容】
【請求項５８】
上記ニコチン性受容体物質がニコチン拮抗薬である、請求項５６記載の薬剤。
【手続補正６】
【補正対象書類名】特許請求の範囲
【補正対象項目名】請求項５９
【補正方法】変更
【補正の内容】
【請求項５９】
上記ニコチン性受容体物質がアセチルコリンエステラーゼ阻害剤である、請求項５６記載の薬剤。
【手続補正７】
【補正対象書類名】特許請求の範囲
【補正対象項目名】請求項６０
【補正方法】変更
【補正の内容】
【請求項６０】
上記薬剤がＭＡＯ阻害剤である、請求項５０から５４のいずれかに記載の薬剤。
【手続補正８】
【補正対象書類名】特許請求の範囲
【補正対象項目名】請求項６１
【補正方法】変更
【補正の内容】
【請求項６１】
上記薬剤が抗喘息薬である、請求項５０から５４のいずれかに記載の薬剤。
【手続補正９】
【補正対象書類名】特許請求の範囲
【補正対象項目名】請求項６２
【補正方法】変更
【補正の内容】
【請求項６２】
上記薬剤が抗狭心症薬である、請求項５０から５４のいずれかに記載の薬剤。
【手続補正１０】
【補正対象書類名】特許請求の範囲
【補正対象項目名】請求項６３
【補正方法】変更
【補正の内容】
【請求項６３】
上記薬剤が抗不整脈薬である、請求項５０から５４のいずれかに記載の薬剤。
【手続補正１１】
【補正対象書類名】特許請求の範囲
【補正対象項目名】請求項６４
【補正方法】変更
【補正の内容】
【請求項６４】
請求項５０から６３のいずれかに記載の薬剤を実行することができるように構成されている装置。
【手続補正書】
【提出日】平成23年6月8日(2011.6.8)
【手続補正１】
【補正対象書類名】特許請求の範囲
【補正対象項目名】全文
【補正方法】変更
【補正の内容】
【特許請求の範囲】
【請求項１】
合成ポリマーと、
色変化指示剤とを含む繊維であって、
前記色変化指示剤が前記合成ポリマー全体に分散し、
前記色変化指示剤がタンパク質刺激物の存在下で反応して色の変化をもたらす、繊維。
【請求項２】
表面上の物質の存在を示す物品であって、
複数の繊維を含み、
前記繊維の少なくとも一部が、合成ポリマーと、タンパク質刺激物の存在下で反応して前記物品の作業面上に色の変化をもたらす、前記合成ポリマー全体に分散した色変化指示剤とを含む色指示繊維である、
物品。
【請求項３】
合成ポリマーと、
色変化指示剤とを含む繊維であって、
前記色変化指示剤が前記合成ポリマー全体に分散し、
前記色変化指示剤が、ヘモグロビン、糖、及び炭水化物からなる群から選択される刺激物の存在下で反応して色の変化をもたらす、
繊維。
【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
ウェブの変位を表示するための方法であって、
複数の別個の目盛り構造が配置された細長い可撓性のウェブを移動させる工程と、
前記目盛り構造を使用してエネルギーを変調する工程と、
変調されたエネルギーを、連続的なウェブの変位を示す信号に変換する工程と、を含む方法。
【請求項２】
前記目盛り構造が、光学的な目盛り構造を備え、
前記エネルギーを変調する工程が、前記光学的な目盛り構造を使用して光を変調する工程を含む、請求項１に記載の方法。
【請求項３】
前記ウェブが、透明なウェブを含み、
前記光を変調する工程が、前記光の一部分を、前記透明なウェブを透過させることを含み、
透過させた光に基づいて前記ウェブの変位を決定する工程を更に含む、請求項２に記載の方法。
【請求項４】
ウェブの変位を表示するためのシステムであって、
一体的な目盛りが配置された細長い可撓性のウェブであって、前記目盛りが、前記ウェブに向けられたエネルギーを変調するように構成された複数の別個の目盛り構造を備える、ウェブと、
前記目盛り構造によって変調されたエネルギーを検知し、さらに前記変調されたエネルギーに基づいて連続的なウェブの変位を示す信号を生成するように構成された変換器と、
前記ウェブと前記変換器とが相対移動するように構成された移送機構と、を備えるシステム。
【請求項５】
一体的な目盛りを有する可撓性の細長いウェブを備える装置であって、前記目盛りが、前記ウェブ上に配置されかつ前記ウェブに向けられたエネルギーを変調するように構成された目盛り構造のパターンを備え、変調されたエネルギーが、前記ウェブの連続的な変位を示す、装置。
【請求項６】
前記ウェブ上に配置されたウェブ構造のパターンを更に備える、請求項５に記載の装置。
【請求項７】
前記目盛り構造がプリズムを備え、
前記エネルギーが光を含む、請求項５に記載の装置。
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
単離ＧＰＩｂαタンパク質と混合されて分析ミックスを与える試料中のフォンビルブラント因子（ＶＷＦ）活性を測定する方法であって、
ａ）ヒトＧＰＩｂαタンパク質の野生型配列（配列番号１）と比べた場合、少なくともアミノ酸残基１〜２６８を含み、そしていずれの場合にも位置２３３及び２３９に１つのアミノ酸置換Ｘａａを有する、アミノ酸配列を含む単離ＧＰＩｂαタンパク質を使用すること；及び
ｂ）その分析ミックスにリストセチンもボトロセチンも加えないこと；
を含み、そして
ｃ）使用するＧＰＩｂαタンパク質が固相と結合する、方法。
【請求項２】
分析ミックスにリストセチン−又はボトロセチン−等価物質が加えられない、請求項１に記載の方法。
【請求項３】
使用するＧＰＩｂαタンパク質の位置２３３及び／又は２３９におけるアミノ酸置換Ｘａａがバリン又はセリン残基を含む、請求項１又は２に記載の方法。
【請求項４】
使用するＧＰＩｂαタンパク質が組換え的又は合成的に調製される、請求項１〜３のいずれか１項に記載の方法。
【請求項５】
使用するＧＰＩｂαタンパク質がＮ末端で相同ヒトＧＰＩｂαシグナル配列（配列番号２）又は異種シグナル配列に融合する、請求項１〜４のいずれか１項に記載の方法。
【請求項６】
使用するＧＰＩｂαタンパク質がＣ末端で１つ又はそれ以上の親和性タグに融合する、請求項１〜５のいずれか１項に記載の方法。
【請求項７】
使用するＧＰＩｂαタンパク質がＣ末端でＨｉｓタグ、Ｆｌａｇタグ、Ａｒｇタグ、ｃ−Ｍｙｃタグ及びＳｔｒｅｐタグから成る群からの１つ又はそれ以上の親和性タグに融合する、請求項６に記載の方法。
【請求項８】
使用するＧＰＩｂαタンパク質が抗体を介して微粒子固相と結合する、請求項７に記載の方法。
【請求項９】
使用するＧＰＩｂα蛋白質が抗ＧＰＩｂα抗体を介して微粒子固相と結合する、請求項８に記載の方法。
【請求項１０】
ＧＰＩｂαタンパク質が抗親和性タグ抗体を介して微粒子固相と結合する、請求項８に記載の方法。
【請求項１１】
微粒子固相がラテックスを含む、請求項１〜１０のいずれか１項に記載の方法。
【請求項１２】
ＶＷＦ活性が微粒子固相のＧＰＩｂα仲介凝集に基づいて測定される、請求項１〜１１のいずれか１項に記載の方法。
【請求項１３】
使用するＧＰＩｂαタンパク質が、ＶＭ１６ｄ及びＳＺ２から成る群からのモノクローナル抗ＧＰＩｂα抗体を介して微粒子固相と結合する、請求項１２に記載の方法。
【請求項１４】
使用するＧＰＩｂαタンパク質がＣ末端で１つ又はそれ以上のＦｌａｇタグに融合し、そして抗Ｆｌａｇ抗体を介して微粒子固相と結合する、請求項１２に記載の方法。
【請求項１５】
分析ミックスが界面活性剤、好ましくはツィーン（登録商標）20、テシット、トリトン界面活性剤及びドデシル硫酸ナトリムから成る群からの界面活性剤を含む、請求項１２〜１４のいずれか１項に記載の方法。
【請求項１６】
分析ミックスが０.０２ｇ／ｌ〜２０ｇ／ｌの濃度のツィーン（登録商標）20を含む、請求項１５に記載の方法。
【請求項１７】
試料がヒト又は動物起源の生体液である、請求項１〜１６のいずれか１項に記載の方法。
【請求項１８】
試料が基質として単離ＶＷＦを加えられている生体液を含む反応混合物である、請求項１〜１６のいずれか１項に記載の方法。
【請求項１９】
ヒトＧＰＩｂαタンパク質の野生型配列（配列番号１）と比べた場合、少なくともアミノ酸残基１〜２６８を含み、そしていずれの場合にも位置２３３及び２３９に１つのアミノ酸置換Ｘａａを有し、そしてＧＰＩｂαタンパク質が微粒子固相と結合する、アミノ酸配列を含むＧＰＩｂαタンパク質を含有する試薬を含む、請求項１に記載の方法を行なうための検査キット。
【請求項２０】
以下の工程：
ａ）ＡＤＡＭＴＳ−１３プロテアーゼを含むことが疑われる試料を、基質としての単離ＶＷＦと混合して反応ミックスを得ること；
ｂ）該反応ミックスをインキュベートすること；そして
ｃ）反応ミックス中の残存ＶＷＦ活性を測定すること；
を含む、試料中のＡＤＡＭＴＳ−１３プロテアーゼのフォンビルブラント因子（ＶＷＦ）切断活性を測定する方法であって、野生型ＶＷＦモノマーで構成される高分子量マルチマーＶＷＦであるＶＷＦ基質と比べて、少なくとも１つのアミノ酸配列変異を有し、上記ＶＷＦ基質が促進的にＡＤＡＭＴＳ−１３によって分解されることをもたらすＶＷＦモノマーを含む高分子量マルチマーＶＷＦである、ＶＷＦ基質を含む方法。
【請求項２１】
高分子量マルチマーＶＷＦで構成されるＶＷＦ基質のＶＷＦモノマーが、以下の群：
Ｐ１６４８Ｓ、Ｅ１６３８Ｋ、Ｇ１５０５Ｒ、Ｓ１５０６Ｌ、Ｍ１５２８Ｖ、Ｒ１５６９ｄｅｌ、Ｒ１５９７Ｗ、Ｖ１６０７Ｄ、Ｇ１６０９Ｒ、Ｇ１６２９Ｅ、Ｇ１６３１Ｄ、Ｒ１５９７Ｑ、Ｖ１４９９Ｅ及びＹ１５８４Ｃ；
からの少なくとも１つのアミノ酸配列変異を有する、請求項２０に記載の方法。
【請求項２２】
高分子量マルチマーＶＷＦ基質が組換え法で生産される、請求項２０又は２１に記載の方法。
【請求項２３】
高分子量マルチマーＶＷＦ基質が、適したＶＷＦアミノ酸配列変異のヘテロ接合性又はホモ接合性キャリアのドナー血漿から単離されている、請求項２０又２１に記載の方法。
【請求項２４】
工程ａ）が試料を更にヘパリンと混合することを含む、請求項２０〜２３のいずれか１項に記載の方法。
【請求項２５】
工程ａ）が、試料を、単離天然ＧＰＩｂαタンパク質及び／又は組換え野生型ＧＰＩｂαタンパク質、及びリストセチン又はボトロセチンと更に混合することを含む、請求項２０〜２４のいずれか１項に記載の方法。
【請求項２６】
工程ａ）が、試料を、ヒトＧＰＩｂαタンパク質の野生型配列（配列番号１）と比べた場合、少なくともアミノ酸残基１〜２６８を含み、そしていずれの場合にも位置２３３及び２３９に１つのアミノ酸置換Ｘａａを有するアミノ酸配列を含む、組換え又は合成ＧＰＩｂαタンパク質と更に混合することを含む、請求項２０〜２４のいずれか１項に記載の方法。
【請求項２７】
使用するＧＰＩｂαタンパク質の位置２３３及び／又は２３９のアミノ酸置換Ｘａａがバリン又はセリン残基を含む、請求項２６に記載の方法。
【請求項２８】
工程ｃ）が、リストセチン補因子活性を測定することにより反応ミックス中の残存ＶＷＦ活性を測定することを含む、請求項２０〜２４のいずれか１項に記載の方法。
【請求項２９】
工程ｃ）が、請求項１〜１８のいずれか１項に記載の方法により反応ミックス中の残存ＶＷＦ活性を測定することを含む、請求項２０〜２４のいずれか１項に記載の方法。
【手続補正書】
【提出日】平成23年6月2日(2011.6.2)
【手続補正１】
【補正対象書類名】特許請求の範囲
【補正対象項目名】全文
【補正方法】変更
【補正の内容】
【特許請求の範囲】
【請求項１】
イオン化可能置換基を有する有機組成物を所定のパターンで基材上に適用する工程、および前記イオン化可能置換基とイオン性種との間のイオン交換を行う工程を含んで成る、基材のパターニング方法。
【請求項２】
基材に放射線硬化性組成物を適用する工程、
前記有機組成物少なくとも一部分を硬化させる工程、
前記未硬化部分を除いて、硬化した有機組成物のパターンを形成する工程、および、
前記イオン化可能置換基をイオン性種で置き換えるために、イオン交換を行う工程、
を含んで成る、基材のパターニング方法。
【請求項３】
基材、
パターン化された有機組成物、および、
パターン化された金属性被膜、
を含んで成る、物品、
前記パターン化された有機組成物は、前記パターン化された金属性被膜で覆われて、全体形状を形成し、そして前記全体形状は、幅で少なくとも約１μｍおよび高さで少なくとも２０ｎｍである幅を有する。
【請求項４】
前記基材が、ポリマーまたはガラスを含む、請求項３に記載の物品。
【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
異常造血、又はそれと関連する状態の検出方法であって、（ａ）対象からの試料における異常なＺＦＰ３６Ｌ２発現、又は（ｂ）対象からの試料におけるＺＦＰ３６Ｌ２遺伝子内の変異、を検出する工程を含み、ここで（ａ）又は（ｂ）は異常造血又はそれと関連する状態を示す、検出方法。
【請求項２】
方法が（ａ）を検出する工程を含み、ＺＦＰ３６Ｌ２発現が異常に高く、異常に高い造血、一次的若しくは二次的な多血症、癌若しくは腫瘍、白血病、又はそれらの組み合わせを示す、請求項１に記載の方法。
【請求項３】
方法が（ａ）を検出する工程を含み、ＺＦＰ３６Ｌ２発現が異常に低く、異常に低い造血、一次的若しくは二次的な貧血、血小板減少症、骨髄異形成症候群、又はそれらの組み合わせを示す、請求項１に記載の方法。
【請求項４】
方法が（ａ）を検出する工程を含み、異常なＺＦＰ３６Ｌ２発現が、対象から採取される試料におけるＺＦＰ３６Ｌ２  ｍＲＮＡ又はＺＦＰ３６Ｌ２タンパク質のレベルを、対照レベルと比較することにより検出される、請求項１〜３のいずれか１項に記載の方法。
【請求項５】
造血が骨髄細胞系列のものである、請求項１〜４のいずれか１項に記載の方法。
【請求項６】
異常なＺＦＰ３６Ｌ２発現が、対象から採取される試料中の造血細胞又は間質細胞において検出される、請求項１〜５のいずれか１項に記載の方法。
【請求項７】
造血を調節する化合物のスクリーニング方法であって、
（ａ）試験化合物をＺＦＰ３６Ｌ２を発現する細胞に投与する工程、及び
（ｂ）試験化合物の存在下、対照と比較して該細胞におけるＺＦＰ３６Ｌ２発現の変化を検出する工程、を含み、
ここで該細胞におけるＺＦＰ３６Ｌ２発現の変化は、試験化合物が造血を調節し得ることを示す、スクリーニング方法。
【請求項８】
細胞が内因性にＺＦＰ３６Ｌ２を発現する、又はＺＦＰ３６Ｌ２を発現するよう操作されている、請求項７に記載の方法。
【請求項９】
ＺＦＰ３６Ｌ２の発現における変化が、（ｉ）ＺＦＰ３６Ｌ２遺伝子の転写レベル、（ｉｉ）ＺＦＰ３６Ｌ２  ｍＲＮＡ量、（ｉｉｉ）ＺＦＰ３６Ｌ２タンパク質の量又は活性における変化を検出することにより検出される、請求項７又は８に記載の方法。
【請求項１０】
細胞が、マーカータンパク質をコードする核酸に融合されたＺＦＰ３６Ｌ２をコードする核酸を含み、且つＺＦＰ３６Ｌ２の発現における変化が、マーカータンパク質のレベル又は活性における変化を検出することにより検出される、請求項７〜９のいずれか１項に記載の方法。
【請求項１１】
マーカータンパク質をコードする核酸が、（ａ’）ＺＦＰ３６Ｌ２  ｍＲＮＡの３’末端に融合されている、（ｂ’）ＺＦＰ３６Ｌ２プロモーターに融合されている、（ｃ’）ＧＦＰである、（ｄ’）ルシフェラーゼである、及び／又は（ｅ’）β−ガラクトシダーゼである、請求項１０に記載の方法。
【請求項１２】
対照が、（ｉ’）試験化合物非存在下における、該細胞、若しくは同じ種類の細胞中のＺＦＰ３６Ｌ２発現、又は（ｉｉ’）あらかじめ確立された基準のＺＦＰ３６Ｌ２発現レベルである、請求項７〜１１のいずれか１項に記載の方法。
【請求項１３】
方法が、ＺＦＰ３６Ｌ２を発現する細胞に試験化合物を投与する前に、（ａ”）ＺＦＰ３６Ｌ２  ｍＲＮＡ、（ｂ”）ＺＦＰ３６Ｌ２タンパク質、又は（ｃ”）ＺＦＰ３６Ｌ２プロモーターに結合する試験化合物を選択する工程をさらに含む、請求項７〜１２のいずれか１項に記載の方法。
【請求項１４】
請求項７〜１３のいずれか１項に記載の方法により同定される造血を調節する化合物。
【請求項１５】
対象における造血の制御用の医薬組成物を製造するための、ＺＦＰ３６Ｌ２タンパク質のレベル又は活性を調節する化合物の使用。
【請求項１６】
（ａ）使用される化合物が請求項１４に記載の化合物である；
（ｂ）医薬組成物が異常に高い造血と関連する状態の治療用であり、使用される化合物がＺＦＰ３６Ｌ２のレベル又は活性を減少させる化合物であり、且つ化合物が、アンチセンス核酸、ｄｓＲＮＡ、マイクロＲＮＡ、ｓｉＲＮＡ、酵素的核酸、及び遺伝子発現系からなる群から選択される；又は
（ｃ）医薬組成物が異常に低い造血と関連する状態の治療用であり、使用される化合物がＺＦＰ３６Ｌ２のレベル又は活性を増加させる化合物であり、且つ化合物が外因性ＺＦＰ３６Ｌ２タンパク質又はＺＦＰ３６Ｌ２をコードする遺伝子発現系からなる群から選択される、
請求項１５に記載の使用。
【請求項１７】
ＺＦＰ３６Ｌ２タンパク質のレベル又は活性を調節する化合物を含有することを特徴とする、対象における造血の制御用の医薬組成物。
【請求項１８】
（ａ）化合物が請求項１４に記載の化合物である；
（ｂ）医薬組成物が異常に高い造血と関連する状態の治療用であり、化合物がＺＦＰ３６Ｌ２のレベル又は活性を減少させる化合物であり、且つ化合物が、アンチセンス核酸、ｄｓＲＮＡ、マイクロＲＮＡ、ｓｉＲＮＡ、酵素的核酸、及び遺伝子発現系からなる群から選択される；又は
（ｃ）医薬組成物が異常に低い造血と関連する状態の治療用であり、化合物がＺＦＰ３６Ｌ２のレベル又は活性を増加させる化合物であり、且つ化合物が外因性ＺＦＰ３６Ｌ２タンパク質又はＺＦＰ３６Ｌ２をコードする遺伝子発現系からなる群から選択される、
請求項１７に記載の医薬組成物。
【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
液晶ディスプレイを形成する方法であって、
青色発光体ピーク波長と、緑色発光体ピーク波長と、赤色発光体ピーク波長とを測定する工程と、
前記青色発光体ピーク波長よりも短い波長である青色ピーク反射波長を有する青色光反射液晶層と、実質的に前記緑色発光体ピーク波長と等しい、又はそれよりも長い緑色ピーク反射波長を有する緑色光反射液晶層と、前記赤色発光体ピーク波長よりも長い波長である赤色ピーク反射波長とを有する赤色光反射液晶層を備える液晶ディスプレイを組み立てる工程と、を含む、液晶ディスプレイ形成方法。
【請求項２】
液晶ディスプレイであって、
青色ピーク反射波長を有する青色光反射液晶層と、
緑色ピーク反射波長を有する緑色光反射液晶層と、
赤色ピーク反射波長を有する赤色光反射液晶層と、を備え、
前記液晶ディスプレイが、青色発光体ピーク波長と、緑色発光体ピーク波長と、赤色発光体ピーク波長と、を有する発光体によって照射されるように構成され、前記青色光反射液晶層の青色ピーク反射波長が、前記青色発光体ピーク波長よりも短い波長であり、前記緑色光反射液晶層の緑色ピーク反射波長が、実質的に前記緑色発光体ピーク波長と等しい、又はそれよりも長く、前記赤色光反射液晶層の赤色ピーク反射波長が、前記赤色発光体ピーク波長を超える長さの波長である、液晶ディスプレイ。
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
無機発光層を形成する方法であって、
(a)半導体ナノ粒子を成長させるための溶媒、コア／シェル量子ドットの溶液及び半導体ナノ粒子前駆体を組み合わせ、
(b)半導体ナノ粒子を成長させ、コア／シェル量子ドット、半導体ナノ粒子及びコア／シェル量子ドットに接続された半導体ナノ粒子の未精製溶液を形成し、
(c)コア／シェル量子ドット、半導体ナノ粒子及びコア／シェル量子ドットに接続された半導体ナノ粒子の単一のコロイド分散液を形成し、
(d)前記コロイド分散液を堆積させて膜を形成し、
(e)前記膜をアニーリングして無機発光層を形成することを含む方法。
【請求項２】
コア／シェル量子ドットに接続されたナノ粒子を含む発光ナノ複合粒子。
【請求項３】
(a)基板、
(a)アノード及び空間的に隔てて離れたカソードであって、前記アノード、前記カソード又はその両方が基板上に形成されている、アノード及びカソード、及び、
(b)前記アノードと前記カソードの間に配置された請求項１記載の無機発光層、
を備える無機発光デバイス。
【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
イソパラフィン及びノルマルパラフィンからなる群より選ばれる炭化水素を主に含む第１のブレンドストックと、
シクロアルカン及び芳香族化合物からなる群より選ばれる炭化水素を主に含む第２のブレンドストックと、を含み、
前記第１のブレンドストックは非石油原料に由来し、前記第２のブレンドストックは石油原料、非石油原料、又はそれらの組み合わせを含む原料に由来する航空機グレードのケロシン。
【請求項２】
石油由来のジェット燃料と任意の割合で混合可能であり、その混合物が石油由来ジェット燃料の燃料等級規格を満たす請求項１に記載の航空機グレードのケロシン。
【請求項３】
最大９５ｖｏｌ％のイソパラフィン及びノルマルパラフィンと、約０ｖｏｌ％〜約３５ｖｏｌ％のシクロアルカンと、約０ｖｏｌ％〜約２０ｖｏｌ％の芳香族化合物とを含む請求項１又は２に記載の航空機グレードのケロシン。
【請求項４】
前記非石油原料が、石炭、天然ガス、バイオマス、又はそれらの組み合わせに由来する請求項１から３のいずれか一項に記載の航空機グレードのケロシン。
【請求項５】
イソパラフィン及びノルマルパラフィンからなる群より選ばれる炭化水素を主に含む第１のブレンドストックを、少なくとも１種の非石油原料から製造する工程と、
シクロアルカン及び芳香族化合物からなる群より選ばれる炭化水素を主に含む第２のブレンドストックを製造する工程と、
前記第１のブレンドストックの少なくとも一部と前記第２のブレンドストックの少なくとも一部とを混合して航空機グレードのケロシンを製造する工程と、を含む航空機グレードのケロシンを製造する方法。
【請求項６】
第１のブレンドストックは、トリグリセリド及び／又は脂肪酸原料の水素化処理により、或いは、天然ガス、石炭、バイオマス、若しくはそれらの組み合わせの直接液化又は間接液化により生成される請求項５に記載の方法。
【請求項７】
第２のブレンドストックは、石炭、オイルシェール、オイルサンド、タール、バイオマス、及びそれらの組み合わせからなる群より選ばれる原料の、熱分解及び／又は直接液化若しくは間接液化によって生成される請求項５又は６に記載の方法。
【請求項８】
第２のブレンドストックは、バイオマス由来リグニン原料から生成される請求項５又は６に記載の方法。
【請求項９】
目的適合要件、ＡＳＴＭ要件、及びそれらの組み合わせからなる群より選ばれる少なくとも１種の要件について前記航空機グレードのケロシンを試験する工程を更に含む請求項６に記載の方法。
【請求項１０】
目的適合要件、ＡＳＴＭ要件、及びそれらの組み合わせからなる群より選ばれる少なくとも１種の要件を満たすように、前記ケロシンにおける第１のブレンドストックと第２のブレンドストックとの比率を調整する工程を更に含む請求項９に記載の方法。
【請求項１１】
目的適合要件、ＡＳＴＭ要件、及びそれらの組み合わせからなる群より選ばれる少なくとも１種の要件を満たすように、前記第２のブレンドストックにおけるシクロアルカン及び芳香族化合物の量を調整する工程を更に含む請求項９又は１０に記載の方法。
【手続補正書】
【提出日】平成23年6月8日(2011.6.8)
【手続補正１】
【補正対象書類名】特許請求の範囲
【補正対象項目名】全文
【補正方法】変更
【補正の内容】
【特許請求の範囲】
【請求項１】
１つ以上のペンダント反応基を有するベースポリマーと、共反応基を有する呈色指示薬との反応生成物を含み、前記ペンダント反応基が前記ベースポリマーに共有結合しており、前記反応基が前記共反応基と共有結合しており、前記呈色指示薬がタンパク質に応答して変色し、前記ベースポリマーの前記反応基が、アジリジン基、エポキシ基、ヒドロキシル基、及びアルケン基からなる群から選択され、前記呈色指示薬の前記共反応基が、前記反応基と共有結合することができるヒドロキシル基、カルボキシル基、脂肪族アルコール基、アルケン基、アクリレート基、メタクリレート基、及びアルキン基からなる群から選択される、官能性ポリマー。
【請求項２】
【化１】
2010532416.tif 000001
を含み、
前記ベースポリマーが、任意の連結基Ｌ１を含み、
Ｒ１が、Ｈ又はＣ１〜Ｃ４アルキル基類であり、
Ｒ２が、Ｈ又はＣ１〜Ｃ４アルキル基類であり、
Ｚ’が、結合した前記共反応基である、請求項１に記載の官能性ポリマー。
【請求項３】
反応基を含むフィルム形成又は繊維形成ポリマーと、
共反応基を含む呈色指示薬と、
を含み、前記呈色指示薬の前記共反応基が、前記ポリマーの反応基と共有結合しており、前記呈色指示薬がタンパク質に応答して変色する、物品。
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
電極が作用電極、参照電極および対電極を含み、且つ、参照電極が固有電位を持たないように構築される、基板上の電極と；
自己組織化単分子膜が化合物の不均一な選択を含む、参照電極上の自己組織化単分子膜と
を含むことを特徴とする電気化学センサー装置。
【請求項２】
前記化合物の選択はスペーサーおよびアクティブプローブを含み、アクティブプローブが有する捕捉プローブに対する親和性が、スペーサーが有する捕捉プローブに対する親和性よりも高いように構成されることを特徴とする請求項１に記載の装置。
【請求項３】
前記アクティブプローブは、前記スペーサーよりも前記基板のさらに上方に及ぶことを特徴とする請求項１に記載の装置。
【請求項４】
前記アクティブプローブは、前記スペーサーよりも長いことを特徴とする請求項１に記載の装置。
【請求項５】
前記アクティブプローブはビオチン化チオールを含み、前記スペーサーはヒドロキシル化チオールを含むことを特徴とする請求項１に記載の装置。
【請求項６】
前記ビオチン化チオールはストレプトアビジンに結合されることを特徴とする請求項１に記載の装置。
【請求項７】
前記アクティブプローブは１２−メルカプト（８−ビオチンアミド−３，６−ジオキサオクチル）ドデカンアミドを含み、前記スペーサーは１１−メルカプト−１−ウンデカノールを含むことを特徴とする請求項１に記載の装置。
【請求項８】
前記アクティブプローブは、前記参照電極に直接連結された硫黄を含むことを特徴とする請求項１に記載の装置。
【請求項９】
前記アクティブプローブは前記参照電極に直接結合された硫黄の反対に末端端部を含み、前記アクティブプローブの末端端部はアミンおよびヒドロキシル基からなる群から選択されたコンポーネントを含むことを特徴とする請求項８に記載の装置。
【請求項１０】
前記スペーサーは前記参照電極に直接結合された硫黄の反対に末端端部を含み、当該末端端部はアクティブプローブの末端端部とは異なっており、当該末端端部はアルキル基、アミンおよびヒドロキシル基からなる群から選択されたコンポーネントを含むことを特徴とする請求項８に記載の装置。
【請求項１１】
前記参照電極は金属の単層からなることを特徴とする請求項１に記載の装置。
【請求項１２】
前記参照電極は金の単層からなることを特徴とする請求項１に記載の装置。
【請求項１３】
前記参照電極、前記作用電極、および前記対電極の各々は、金属の単層からなることを特徴とする請求項１に記載の装置。
【請求項１４】
前記参照電極、前記作用電極、および前記対電極の各々は、金の単層からなることを特徴とする請求項１に記載の装置。
【請求項１５】
前記参照電極、前記作用電極および前記対電極の各々は、導電性材料の単層からなることを特徴とする請求項１に記載の装置。
【請求項１６】
電極が作用電極、参照電極および対電極を含み、且つ、参照電極が固有電位を持たないように構築され、導体材料の単層を含む、基板上の電極を備え；
スペーサーおよびアクティブプローブを含む自己組織化単分子膜を備えており；
前記アクティブプローが有する捕捉プローブに対する親和性は、スペーサーが有する捕捉プローブに対する親和性よりも高いように構成され、
前記アクティブプローブはスペーサーよりも基板のさらに上方に及び、
前記アクティブプローブおよびスペーサーの各々は参照電極に直接結合する硫黄を含み、
前記アクティブプローブおよびスペーサーの各々は１つまたは複数のアルキレン部分を含み、
前記アクティブプローブは参照電極に直接結合された硫黄の反対に末端端部を含み、前記アクティブプローブの末端端部はアミンおよびヒドロキシル基からなる群から選択されたコンポーネントを含み、
前記スペーサーは参照電極に直接結合された硫黄の反対に末端端部を含み、前記スペーサーの末端端部は前記アクティブプローブの末端端部とは異なり、前記スペーサーの末端端部はアルキル基、アミンおよびヒドロキシル基からなる群から選択されたコンポーネントを含むことを特徴とする電気化学センサー装置。
【請求項１７】
電極が作用電極、参照電極および対電極を含み、且つ、参照電極が固有電位を持たないように構築される、基板上の電極と、化合物の不均一な選択を含む、参照電極上の自己組織化単分子膜とを含む装置を準備し、
電極を使用して、標的因子が溶液中に存在するかどうかおよび／または溶液中の標的因子の量を決定することを特徴とすることを含む方法。